(57)【要約】実施形態の監視システムは、監視制御装置と、画像情報提供装置と、クライアント制御装置と、を持つ。監視制御装置は、インフラ設備を監視し、センサから入力される情報に基づいて得られるインフラ設備の状態を画像情報提供装置に送信する。画像情報提供装置は、監視制御装置から受信した前記インフラ設備の状態に基づいて元画像情報を生成する。クライアント制御装置は、表示装置と操作装置とに接続され、前記元画像情報によって生成可能な全体画像の一部の領域を指定する情報を前記操作装置から受信して前記画像情報提供装置に送信し、前記画像情報出力装置から受信した情報に基づく画像を前記表示装置に表示させる。
2018181598.tif 000002
【特許請求の範囲】
【請求項１】
インフラ設備を監視する監視制御装置であって、センサから入力される情報に基づいて得られる前記インフラ設備の状態を画像情報提供装置に送信する監視制御装置と、
前記監視制御装置から受信した前記インフラ設備の状態に基づいて元画像情報を生成する前記画像情報提供装置と、
表示装置と操作装置に接続され、前記元画像情報によって生成可能な全体画像の一部の領域を指定する情報を前記操作装置から受信して前記画像情報提供装置に送信し、前記画像情報提供装置から受信した情報に基づく画像を前記表示装置に表示させるクライアント制御装置と、を備え、
前記画像情報提供装置は、前記クライアント制御装置から受信した領域指定情報に基づいて決定される、前記全体画像の一部の領域を表示するための情報を前記クライアント制御装置に送信する、
監視システム。
【請求項２】
前記クライアント制御装置は、前記操作装置から受信される情報に基づいて、表示倍率指定情報を前記画像情報提供装置に送信し、
前記画像情報提供装置は、前記クライアント制御装置から受信した表示倍率指定情報に基づいて決定される倍率で、前記全体画像の一部の領域を拡大または縮小して表示するための情報を前記クライアント制御装置に送信する、
請求項１に記載の監視システム。
【請求項３】
前記画像情報提供装置は、前記クライアント制御装置から受信した表示倍率指定情報に基づいて決定される倍率が、予め定めた所定のしきい値以下である場合、前記元画像情報によって生成可能な画像であって、マクロ視点で生成した画像の全部または一部の領域を表示するための情報を前記クライアント制御装置に送信する、
請求項１に記載の監視システム。
【請求項４】
前記画像情報提供装置は、前記監視制御装置から受信した前記インフラ設備の状態に基づいて、状態の変化が発生したと判明した場合、前記クライアント制御装置から受信した領域指定情報に基づいて決定される前記全体画像の一部の領域を表示するための情報に代えて、前記状態の変化が発生した領域を表示するための情報を前記クライアント制御装置に送信する、
請求項１に記載の監視システム。
【請求項５】
前記画像情報提供装置は、前記状態の変化が発生した領域を強調して表示するための情報を、前記クライアント制御装置に送信する、
請求項４に記載の監視システム。
【請求項６】
前記画像情報提供装置は、前記クライアント制御装置から前記状態の変化が発生した領域の表示を確認した旨の応答情報を受信した場合、前記状態の変化が発生した領域を表示するための情報に代えて、前記クライアント制御装置から受信した領域指定情報に基づいて決定される前記全体画像の一部の領域を表示するための情報を前記クライアント制御装置に送信する、
請求項４に記載の監視システム。
【請求項７】
前記画像情報提供装置は、前記監視制御装置から受信した前記インフラ設備の状態に基づいて状態の変化が発生した領域が複数あると判定した場合、複数の前記状態の変化が発生した領域の全てを含む領域である複数領域を表示するための情報を前記クライアント制御装置に送信する、
請求項１に記載の監視システム。
【請求項８】
前記画像情報提供装置は、前記複数領域を表示するための表示倍率が予め定めた所定のしきい値以下である場合、前記全体画像とは異なる画像であって、前記元画像情報によって生成可能な総括画像における前記複数領域を表示するための情報を前記クライアント制御装置に送信する、
請求項７に記載の監視システム。
【請求項９】
前記画像情報提供装置は、前記クライアント制御装置から前記状態の変化が発生した１の領域の表示を固定する旨の指定情報を受信した場合において、前記監視制御装置から受信した前記インフラ設備の状態に基づいて状態の変化が発生した領域が複数あることが判定した場合、複数の前記状態の変化が発生した領域の全てを含む領域である複数領域を表示するための情報に代えて、前記状態の変化が発生した一つの領域を表示するための情報とショートカットアイコンを表示するための情報とを前記クライアント制御装置に送信し、
前記クライアント制御装置は、前記ショートカットアイコンを操作した旨の操作情報を前記操作装置から受信した場合、複数の前記状態の変化が発生した領域の一部または全てを含む領域を表示するための情報の送信を指定する旨の指定情報を前記画像情報提供装置に送信する、
請求項４に記載の監視システム。
【請求項１０】
前記クライアント制御装置は複数であり、
前記画像情報提供装置は、複数のクライアント制御装置のいずれかのクライアント制御装置と接続された前記操作装置から受信した領域指定情報に基づいて決定される前記全体画像の一部の領域を表示するための情報を、前記複数のクライアント制御装置すべてに送信する、
請求項１に記載の監視システム。
【請求項１１】
インフラ設備の状態に基づいて元画像情報を生成し、
前記元画像情報によって生成可能な全体画像の一部の領域を指定する領域指定情報に基づいて決定される前記全体画像の一部の領域を表示するための情報を出力する、
画像情報提供装置。
【請求項１２】
表示装置と操作装置に接続され、
インフラ設備の状態に基づいて生成される元画像情報によって生成可能な全体画像の一部の領域を指定する領域指定情報を前記操作装置から受信するとともに、受信した前記領域指定情報を画像情報提供装置に送信し、
前記領域指定情報に基づいて決定される、前記全体画像の一部の領域を表示するための情報を受信する、
クライアント制御装置。
【請求項１３】
画像情報提供装置に、
インフラ設備の状態に基づいて元画像情報を生成させ、
前記元画像情報によって生成可能な全体画像の一部の領域を指定する領域指定情報に基づいて決定される、前記全体画像の一部の領域を表示するための情報を送信させる、
画像情報提供プログラム。
【請求項１４】
表示装置と操作装置に接続されたクライアント制御装置に、
インフラ設備の状態に基づいて生成される元画像情報によって生成可能な全体画像の一部の領域を指定する領域指定情報を前記操作装置から受信させるとともに、受信した前記領域指定情報を画像情報提供装置に送信させ、
前記領域指定情報に基づいて決定される、前記全体画像の一部の領域を表示するための情報を前記画像情報提供装置から受信させる、
クライアント制御プログラム。
【発明の詳細な説明】
【技術分野】
【０００１】
本発明の実施形態は、監視システム、画像情報提供装置、クライアント制御装置、画像情報提供プログラム、及びクライアント制御プログラムに関する。
【背景技術】
【０００２】
従来、インフラ設備を監視するための監視システムにおいては、監視対象のインフラ設備からの情報を監視員が認識しやすいように表示させ、監視対象のインフラ設備を一元的に管理する。例えば、給電指令所や変電制御所においては、監視室の壁一面にモザイク型の表示装置や大型のプロジェクタ装置等を設置し、管轄対象範囲のインフラ設備における系統図を表示させる。系統図を表示させることにより、系統の状態を集中して監視することができる。【０００３】
このような監視システムにおいて、管轄対象範囲が廃統合される等、監視範囲が変更された場合、今まで表示させていた系統図を変更する必要が生じる。系統図を変更しようとした場合、モザイク型の表示装置を再度作成したり、変更後の監視範囲を監視員等が認識しやすい大きさで表示可能なプロジェクタ装置を設置し直したりする場合がある。
【先行技術文献】
【特許文献】
【０００４】
【特許文献１】特開２０００−１３４７３６号公報
【発明の概要】
【発明が解決しようとする課題】
【０００５】
本発明が解決しようとする課題は、監視対象範囲の変更に対して容易に対応することができる監視システム、画像情報提供装置、クライアント制御装置、画像情報提供プログラム、及びクライアント制御プログラムを提供することにある。
【課題を解決するための手段】
【０００６】
実施形態の監視システムは、監視制御装置と、画像情報提供装置と、クライアント制御装置と、を持つ。監視制御装置は、インフラ設備を監視する監視制御装置であって、センサから入力される情報に基づいて得られる前記インフラ設備の状態を画像情報提供装置に送信する。画像情報提供装置は、監視制御装置から受信した前記インフラ設備の状態に基づいて元画像情報を生成する。クライアント制御装置は、表示装置と操作装置とに接続され、前記元画像情報によって生成可能な全体画像の一部の領域を指定する情報を前記操作装置から受信して前記画像情報提供装置に送信し、前記画像信号出力装置から受信した情報に基づく画像を前記表示装置に表示させる。また、画像情報提供装置は、前記クライアント制御装置から受信した前記領域指定情報に基づいて決定される、前記全体画像の一部の領域を表示するための情報を前記クライアント制御装置に出力する。
【図面の簡単な説明】
【０００７】
【図１】実施形態の監視システムの構成を示すシステム構成図。
【図２】実施形態のＨＭＩサーバにおいて用いられるカレント状態テーブル２３の一例を示す図。
【図３】実施形態のクライアント装置において監視領域を表示した場合の一例を示す図。
【図４】実施形態の監視システムにおいて監視領域を表示する動作を示すシーケンス図。
【図５】実施形態のクライアント装置において監視領域を縮小表示した例を示す図。
【図６】実施形態の監視システムにおいて監視領域を表示する動作を示すシーケンス図。
【図７】実施形態のクライアント装置において状変領域を表示した例を示す図。
【図８】実施形態の監視システムにおいて状変領域を表示する動作を示すシーケンス図。
【図９】実施形態のクライアント装置において複数個所の状変領域を表示した例を示す図。
【図１０】実施形態のクライアント装置において複数個所の状変領域を縮小表示した例を示す図。
【図１１】実施形態の監視システムにおいて複数個所の状態変化を表示する動作を示すシーケンス図。
【図１２】実施形態のクライアント装置において状態変化の表示をロックした例を示す図。
【図１３】実施形態の監視システムにおいて状態変化の表示をロックする動作を示すシーケンス図。
【図１４】実施形態の監視システムにおいて状態変化の表示をロックした後に複数個所の状態変化の表示動作を示すシーケンス図。
【発明を実施するための形態】
【０００８】
以下、実施形態の監視システムを、図面を参照して説明する。
【０００９】
（第１の実施形態）
まず、第１の実施形態について説明する。
図１は、実施形態の監視システムの構成を示すシステム構成図である。図１に示すように、監視システム１は、例えば、監視制御装置１０と、ＨＭＩ（Human Machine Interface）サーバ（画像情報提供装置）２０と、クライアント制御装置３０とを備える。監視制御装置１０とＨＭＩサーバ２０とクライアント制御装置３０は、ネットワーク１００を介して相互に通信を行なう。ネットワーク１００は、例えば、ＷＡＮ（Wide Area Network）、ＬＡＮ（Local Area Network）、インターネット、プロバイダ装置、無線基地局、専用回線などのうちの一部または全部を含む。また、ネットワーク１００と接続されるクライアント制御装置３０等は、アクセスポイントとして機能することができる。この場合、クライアント制御装置３０は、操作装置４０及び表示装置５０と無線又は有線で通信を行い、操作装置４０から受信した情報をＨＭＩサーバ２０に送信したり、ＨＭＩサーバ２０から受信した画像情報を操作装置４０及び表示装置５０に送信したりする。
【００１０】
監視制御装置１０とＨＭＩサーバ２０とクライアント制御装置３０とは、ＣＰＵ（Central Processing Unit）等のプロセッサと、プロセッサが実行するプログラムを格納するプログラムメモリとを備えるコンピュータである。
監視制御装置１０における状態変化検出部１１と、ＨＭＩサーバ２０における領域画像送信部２１と、クライアント制御装置３０におけるリクエスト送信部３１と設定受付部３２とは、例えばＣＰＵ（Central Processing Unit）などのプロセッサがプログラムメモリに格納されたプログラムを実行することにより実現される。また、これらの機能部のうち一部または全部は、ＬＳＩ（Large Scale Integration）、ＡＳＩＣ（Application Specific Integrated Circuit）、またはＦＰＧＡ（Field-Programmable Gate Array）などのハードウェアにより実現されてもよい。
【００１１】
監視制御装置１０には、センサ１２が接続される。監視制御装置１０は、センサ１２から受信した情報に基づいて得られるインフラ設備１３の状態を示す状態情報を、ＨＭＩサーバ２０に送信する。インフラ設備１３は、例えば、発電設備や配送電設備、水処理設備、又はガス配給設備等、社会基盤を整えるために必要な設備である。また、インフラ設備１３工場や大規模ビルディングの電力状況などの運営基盤、物流センタにおける配送設備、学校や研究機関における研究設備などであってもよい。このように、インフラ設備１３は、一目で監視できない程度に広範囲な設備を有するため、一箇所において集中監視をすることが望ましい設備である。
【００１２】
監視制御装置１０は、例えば、状態変化検出部１１を有する。状態変化検出部１１は、センサ１２からの情報に基づいて、インフラ設備１３の状態の変化を検出する。インフラ設備１３の状態の変化とは、給電指令所を監視する場合においては、例えば、平常状態から停電が発生したことである。状態変化検出部１１は、状態の変化を検出するために、例えば、センサ１２から受信した情報を図示しない記憶領域に記憶させる。そして、状態変化検出部１１は、新たにセンサ１２から情報を受信した場合、新たに受信した情報と記憶領域に記憶させた情報とを比較し、各々の情報が異なる情報である場合、状態の変化を検出したものとする。また、状態変化検出部１１は、センサ１２からの情報と予め定めたしきい値とを比較し、センサ１２からの情報がしきい値以下となった場合に、状態の変化を検出したものとしてもよい。状態変化検出部１１は、検出した状態の変化を、状態変化情報として、ＨＭＩサーバ２０に送信する。
なお、図１において、センサ１２は、ネットワーク１００を介さずに監視制御装置１０に情報を出力しているように表現したが、センサ１２は、ネットワーク１００を介して監視制御装置１０へ情報を送信してもよい。
【００１３】
ＨＭＩサーバ２０は、監視制御装置１０から受信した状態情報に基づいて元画像情報を生成する。ここで元画像情報とは、例えば、管轄対象領域全域における監視対象ポイントの状態が示された系統図の画像（以下、全体画像という）を生成することが可能な情報である。
【００１４】
画像を生成することが可能な情報とは、例えば、ネットワーク１００の上にある図示しないウェブサーバーにおける画像の所在位置を特定するためのＵＲＬ（Uniform Resource Locator）などの参照子、或いは、画像そのものを構成する圧縮画像データ、ビットマップデータ、ベクトルデータ等である。また、画像を生成することが可能な情報とは、クライアント制御装置３０が、系統図等の画像の枠組みを保持している場合には、例えば、その画像の枠組みの中における各要素（監視ポイント等）の数値や色彩等を示す要素データであってもよい。
【００１５】
ＨＭＩサーバ２０は、例えば、領域画像送信部２１と記憶部２２とを有する。領域画像送信部２１は、クライアント制御装置３０から受信した領域指定情報に基づいて、元画像情報から生成可能な全体画像の一部の領域を表示するための画像情報（以下、領域画像情報という）を決定する。領域画像送信部２１は、決定した領域画像情報をクライアント制御装置３０に送信する。
また、領域画像送信部２１は、監視制御装置１０から受信した状態情報に、状態の変化を示す情報（以下、状変情報という）が含まれていた場合、状態の変化を記憶するカレント状態テーブル２３を更新する。
【００１６】
記憶部２２は、例えば、ＨＤＤ（Hard Disc Drive）、フラッシュメモリ、ＥＥＰＲＯＭ（Electrically Erasable Programmable Read Only Memory）、またはＲＡＭ（Random Access Memory）などにより実現される。記憶部２２は、カレント状態テーブル２３を記憶する。
カレント状態テーブル２３は、監視制御装置１０から受信した状態情報と、及びクライアント制御装置３０から受信した情報とに基づいて、現在の監視状況およびクライアント制御装置への表示状況を管理するためのデータデーブルである。
【００１７】
図２は、カレント状態テーブル２３の内容の一例を示す。図２に示すように、カレント状態テーブル２３は、状態番号と状変情報と確認情報との項目を有する。状態番号の項目には、状態の変化を受信した順を示す番号が記憶される。状変情報の項目には、監視制御装置１０から受信した状変情報の内容が記憶される。確認情報の項目には、状態の変化が発生した際にＨＭＩサーバから送信した画像情報に対するクライアント制御装置３０からの応答を示す情報（以下、応答情報という）の内容が記憶される。
【００１８】
状変情報は、更に、種別、発生領域、表示領域、表示形態の各々の項目を有する。種別の項目には、状態の変化の態様、例えば停電や停電の復旧等が記憶される。発生領域の項目には、状態の変化が発生した領域に関する情報が記憶される。表示領域の項目には、領域画像送信部２１からクライアント制御装置３０に送信した画像情報により表示される領域が記憶される。表示形態の項目には、領域画像送信部２１からクライアント制御装置３０に送信され画像情報により表示される画像が系統図であるか否か等、表示画像の種類が記憶される。
【００１９】
応答情報の項目は、更に確認済みと表示ロックの項目を有する。確認済みの項目には、状態の変化が発生した領域の表示について、クライアント制御装置３０から確認した旨の応答（以下、確認応答情報という）を受信したか否かが記憶される。表示ロックの項目には、状態の変化が発生した領域の表示について、クライアント制御装置３０から表示の固定（ロック）を要求する旨の応答（以下、ロック応答情報という）を受信したか否かを示す情報が記憶される。
【００２０】
領域画像送信部２１は、監視制御装置１０から受信した状変情報に基づいて状態の変化が発生した領域を表示するための領域画像情報を決定する。領域画像送信部２１は、決定した領域画像情報をクライアント制御装置３０に送信する。
また、領域画像送信部２１は、クライアント制御装置３０から、状態の変化が発生した領域の表示に対する固定表示（ロック）を指定する旨の情報（以下、ロック指定情報という）を受信した場合、カレント状態テーブル２３を更新する。
【００２１】
図１に戻り、クライアント制御装置３０について説明する。クライアント制御装置３０は、操作装置４０と表示装置５０に接続される。クライアント制御装置３０は、元画像情報によって生成可能な全体画像の一部の領域を指定する領域指定情報を操作装置４０から受信する。また、クライアント制御装置３０は、操作装置４０から受信した領域指定情報をＨＭＩサーバ２０に送信する。クライアント制御装置３０は、リクエスト送信部３１と設定受付部３２とを備える。リクエスト送信部３１は、領域指定情報をＨＭＩサーバ２０に送信する。設定受付部３２は、操作装置４０からの領域指定情報等の操作情報を受信する。
【００２２】
操作装置４０は、表示装置５０に表示させる画像を操作する。操作装置４０は、表示装置５０に表示させる画像を操作するための操作入力部と、操作入力部により入力された操作情報に基づく領域指定情報をクライアント制御装置３０と通信するための通信部と、を備える。操作装置４０は、例えば、操作入力部としてのタッチパネルを有する、タブレット端末である。この場合、操作装置４０は、表示装置５０に表示させる画面と同じ画像を表示したタッチパネルを操作することで、表示装置５０に表示させる画面を変更させたり、拡大させたり、縮小させたりする操作を行うことを可能とする。なお、操作装置４０は、スマートフォンやノート型或いはデスクトップ型のパーソナルコンピュータなどであってもよい。
【００２３】
表示装置５０は、クライアント制御装置３０から画像情報を受信し、受信した画像情報に応じた画像を表示する。表示装置５０は、画像を表示するための表示部とクライアント制御装置３０と通信するための通信部とを有する。表示装置５０は、例えば、大型モニタ（例えば、７０インチ程度）である。
【００２４】
クライアント制御装置３０と操作装置４０との間の通信は、例えば、Ｗｉ−Ｆｉ網を介した無線通信方式で行われる。また、クライアント制御装置３０と操作装置４０との間の通信は、セルラー網などの無線通信網、赤外線やＢｌｕｅｔｏｏｔｈ（登録商標）等の近距離無線通信網、ＬＡＮ（Local Area Network）などを介した有線通信網を介して行われてもよい。
クライアント制御装置３０と表示装置５０との間の通信は、例えば、ＨＤＭＩ（High Definition Multimedia Interface；登録商標）ケーブルやＵＳＢ（Universal Serial Bus）ケーブルなどを介して行われる。クライアント制御装置３０と表示装置５０とがＨＤＭＩケーブルで接続された場合、表示装置５０は、ＨＤＭＩケーブルから受信される画素情報に基づいて画像を表示する。すなわち、クライアント制御装置３０と表示装置５０とがＨＤＭＩケーブルで接続された場合、表示装置５０は画像生成機能を有さず、クライアント制御装置３０により画像が生成されるか、又はクライアント制御装置３０により受信された画像情報がビットマップデータ等で表現された画像情報となる。また、クライアント制御装置３０と表示装置５０との間の通信は、上述したＷｉ−Ｆｉ網等のクライアント制御装置３０と操作装置４０との間の通信方式と同様の通信方式であってもよい
【００２５】
図３を用いて、表示装置５０により監視領域が表示される例について説明する。図３は、実施形態の表示装置５０において監視領域を表示した様子を示す図である。図３（ａ）は、ＨＭＩサーバ２０により生成される元画像情報によって生成可能な全体画像のイメージを示す。図３（ｂ）は、表示装置５０により表示される領域画像の例を示す。図３（ｃ）は、操作装置４０により表示される領域画像の例を示す。
【００２６】
図３（ａ）に示す全体画像２００は、例えば、従来の技術において、監視室の壁一面を使って表示していた系統図である。また、図３（ａ）に示す領域画像２００ａは、クライアント制御装置３０から受信した領域指定情報に基づいて決定された、全体画像２００の一部の領域である。
【００２７】
図３（ｂ）に示すように、表示装置５０は、領域指定情報に基づいてＨＭＩサーバ２０から受信した画像情報に応じた領域画像２００ａを表示する。このように、表示装置５０に領域画像２００ａにおいて示される監視領域を表示させることで、監視員は、領域画像２００ａにより示される領域を監視できる。
【００２８】
図３（ｃ）に示すように、操作装置４０は、表示装置５０により表示される画像と同じ画像を表示する。操作装置４０に表示装置５０により表示される画像と同じ画像を表示させることで、監視員等は、操作装置４０に表示される画像を視認しながら画像に触れ、表示装置５０に表示させる画像を操作することができる。例えば、監視員等は、操作装置４０の表示画面に触れ、左右にスライド操作等することにより、全体画像２００における領域画像２００ａの位置を移動させる（スクロールさせる）ことができる。監視員等が操作装置４０を操作することにより、操作情報がクライアント制御装置３０を介してＨＭＩサーバ２０に送信され、操作情報に基づいた画像情報が、ＨＭＩサーバ２０からクライアント制御装置３０に送信される。クライアント制御装置３０によって表示装置５０の表示画像に反映されることになる。このような仕組みによって、表示装置５０に表示する画像を操作することができる。
【００２９】
図４を用いて、図３に示した動作を説明する。図４は、実施形態の監視システム１において監視領域を表示する動作を示すシーケンス図である。
監視制御装置１０は、センサ１２からセンサ情報を受信する（ステップＳ１０１）。監視制御装置１０は、受信したセンサ情報に基づいて状態情報を生成する（ステップＳ１０２）。監視制御装置１０は、ＨＭＩサーバ２０へ状態情報を送信する（ステップＳ１０３）。
ＨＭＩサーバ２０は、監視制御装置１０から状態情報を受信する（ステップＳ１０４）。ＨＭＩサーバ２０は、受信した状態情報から元画像情報を生成する（ステップＳ１０５）。
一方、クライアント制御装置３０は、操作装置４０からスクロール操作等の操作情報を受信する（ステップＳ１０６）。クライアント制御装置３０は、受信した操作情報に基づく領域指定情報を生成してＨＭＩサーバに送信する（ステップＳ１０７）。
【００３０】
ＨＭＩサーバ２０は、クライアント制御装置３０から領域指定情報を受信する（ステップＳ１０８）。ＨＭＩサーバ２０は、受信した領域指定情報に基づいて、画像情報を決定する（ステップＳ１０９）。ここで、ＨＭＩサーバ２０により決定される画像情報とは、元画像情報の全部又は一部の領域に対応する画像情報である。ＨＭＩサーバ２０は、決定した画像情報をクライアント制御装置３０に送信する（ステップＳ１１０）。
クライアント制御装置３０は、ＨＭＩサーバ２０から画像情報を受信する（ステップＳ１１１）。クライアント制御装置３０は、受信した画像情報を、操作装置４０および表示装置５０に送信する（ステップＳ１１２）。
【００３１】
ここでは、図５を用いて、表示装置５０により表示される監視領域を示す画像が、図３とは異なる画像で表示される例について説明する。図５は、実施形態の表示装置５０において監視領域を縮小表示した例を示す図である。図５（ａ）は、図３（ａ）と同様の図であるが、図５（ａ）において領域画像２００ｂは、図３（ａ）における領域画像２００ａよりも広範囲な領域を示す。図５（ｂ）は、図３（ｂ）と同様の図であるが、系統図に代えて系統総括図を表示させている。ここで、系統総括図とは、系統図をよりマクロに示す図のことをいう。図５（ｃ）は、図３（ｃ）と同様の図である。系統総括図は、「総括画像」の一例である。
【００３２】
マクロに示す図とは、例えば、同じ領域により少ない構成要素を大きく表示する図である。ここで、マクロに示す図は、「マクロ視点で生成した画像」の一例である。領域内に多数の構成要素を全て表示させると、細かくなりすぎて状態が把握できない場合などに、マクロに示す図を表示させることにより、全体を把握しやすくすることができる。
【００３３】
図３（ｃ）ですでに説明したように、操作装置４０は、表示装置５０により表示される画像と同じ画像をスクロール操作することで、表示装置５０に表示させる領域を操作することができる。この場合において、監視員等は、操作装置４０の表示画面に、２本の指で触れ、画面に触れた２本の指を近づける（ピンチイン）操作をすることにより、領域画像２００ａの位置を縮小させることができる。また、監視員等は、画面に触れた２本の指を広げる（ピンチアウト）操作をすることにより、領域画像２００ａの位置を拡大させることができる。
【００３４】
図５（ａ）に示すように、クライアント制御装置３０から受信した領域指定情報に基づいて決定された領域画像２００ｂにおいて表示される表示領域が比較的広範囲である場合、すなわち表示装置５０に表示させる場合の表示倍率が比較的小さい場合、ＨＭＩサーバ２０は、クライアント制御装置３０へ、領域画像２００ｂの系統総括図の画像情報を送信する。ＨＭＩサーバ２０から系統総括図の画像情報が送信された場合、図５（ｂ）に示すように、表示装置５０は、領域画像２００ｂの系統総括図を表示する。また、図５（ｃ）に示すように、操作装置４０は、図３（ｃ）と同様に、表示装置５０により表示される画像と同じ画像を表示する。
【００３５】
領域画像２００ｂに相当する系統図における表示範囲が広すぎる場合、図３（ｂ）と同様に、該当する領域の系統図を表示装置５０に表示させても、系統図の表示が小さくなりすぎて、監視員等が系統図に含まれる各系統の状態を把握することができない。このような場合に、ＨＭＩサーバ２０がクライアント制御装置３０に対し、図５（ｂ）のような系統総括図を表示させることにより、監視員等が系統の状態を把握することができるようになる。
【００３６】
ここでは、図６を用いて、図５に示した動作を説明する。図６は、実施形態の監視システム１において監視領域を表示する動作を示すシーケンス図である。
図６に示すシーケンスチャートの、ステップＳ１５１からＳ１５５に示す処理は、図４に示すシーケンスチャートの、ステップＳ１０１からＳ１０５に示す処理と同様であるため、説明を省略する。
クライアント制御装置３０は、操作装置４０からピンチアウト、又はピンチイン操作に伴う操作情報を受信する（ステップＳ１５６）。クライアント制御装置３０は、受信した操作情報に基づいて、領域指定情報および表示倍率指定情報を含む指定情報を生成してＨＭＩサーバに送信する（ステップＳ１５７）。
【００３７】
ＨＭＩサーバ２０は、クライアント制御装置３０から指定情報を受信する（ステップＳ１５８）。ＨＭＩサーバ２０は、受信した指定情報に含まれる表示倍率指定情報に基づいて、クライアント制御装置に送信する画像の種類（系統図または系統総括図）を決定する（ステップＳ１５９）。また、ＨＭＩサーバ２０は、受信した指定情報に含まれる領域指定情報に基づいて、画像情報を決定する（ステップＳ１６０）。ＨＭＩサーバ２０は、決定した画像情報をクライアント制御装置３０に送信する（ステップＳ１６１）。
【００３８】
クライアント制御装置３０は、ＨＭＩサーバ２０から画像情報を受信する（ステップＳ１６２）。クライアント制御装置３０は、受信した画像情報を、操作装置４０および表示装置５０に送信する（ステップＳ１６３）。
【００３９】
図７を用いて、表示装置５０において、状態の変化が発生した領域を表示させる例について説明する。図７は、実施形態の表示装置５０において監視領域を表示した例を示す図である。図７（ａ）は、図３（ａ）と同様の図であるが、全体画像２００の中の領域画像２００ａと異なる領域画像２００ｘに、状態の変化が発生していることを示す状変マークＪ１が記されている。図７（ｂ）は、図３（ｂ）と同様の図である。図７（ｃ）は、図７（ｂ）に示す画像が、状態の変化が発生したことにより、状態の変化が発生した領域の系統図に切替えられて表示された場合の表示の一例を示す。
図７（ａ）に示すように、領域画像２００ｘに示される場所において状態の変化が発生した場合、表示装置５０に表示させている画像に関わらず、ＨＭＩサーバ２０は、クライアント制御装置３０へ、領域画像２００ｘの系統図の画像情報を送信する。こうすることで、図７（ｂ）に示すように、例えば表示装置５０が領域画像２００ａを表示している最中であっても、領域画像２００ｘにおいて状態の変化が発生した場合、図７（ｃ）に示すように表示装置５０の表示は自動的に領域画像２００ａから領域画像２００ｘに切り替わる。
本実施形態の監視システム１は、例えば領域画像２００ｘに示される場所において状態の変化が発生した場合、表示装置５０の表示を状態の変化が発生した領域画像２００ｘに切り替えることで、監視領域に状態の変化が発生したことを、監視員等に知らせることを可能とする。また、本実施形態の監視システム１は、領域画像２００ｘの中の状態の変化が発生している場所を示す領域画像Ｆ１を点滅（フリッカ）表示させる等して、状態の変化が発生している場所を強調して表示する。このとき、監視システム１は、領域画像Ｆ１の背景色を、状態の変化が発生していない他の領域の背景色と異なる色にすることで、さらに領域画像Ｆ１を強調させて表示してもよい。また、監視システム１は、サイレン音やアナウンス音声等にて、クライアント制御装置３０にある図示しない音声出力装置等で、状態の変化が発生したことを知らせてもよい。
【００４０】
ここでは、図８を用いて、図７で示した動作を説明する。図８は、実施形態の監視システム１において状態の変化が発生した領域を表示する動作を示すシーケンス図である。
監視制御装置１０は、センサ１２からセンサ情報を受信する（ステップＳ２０１）。監視制御装置１０は、受信したセンサ情報に基づいて、状態の変化が発生していると判定する場合、状変情報を生成する（ステップＳ２０２）。監視制御装置１０は、ＨＭＩサーバ２０へ状変情報を送信する（ステップＳ２０３）。
【００４１】
ここで、状態の変化が発生している場合の実際のインフラ設備１３の状態の一例について説明する。センサ１２は、例えば、監視する給電経路上に設置された遮断器、遮断器に対応する電磁リレー、電磁リレーの動作を制御するリレー制御部等により構成され、リレー制御部により制御された電磁リレーが、遮断器を遮断状態または接続状態にする。給電経路において短絡等が発生した場合、短絡が発生した給電経路上に設置された遮断器を切断状態にさせる。また、遮断器を切断状態に変化させたことにより、電磁リレーの状態が変化する。一般的に、給電経路において短絡等が発生した場合、遮断器における状態の変化が発生した時間にやや遅れて、電磁リレーにおける状態の変化が発生する。
【００４２】
給電経路において短絡等が発生した場合、センサ１２は、遮断器における状態の変化を監視制御装置１０に送信する。監視制御装置１０は、受信した状態の変化を、状態変化検出部１１に送信する。
【００４３】
給電経路において短絡等が発生した場合、状態変化検出部１１は、遮断器における状態の変化にやや遅れて、電磁リレーの状態の変化を受信する。このような場合でも、状態変化検出部１１は、遮断器における状態の変化と、電磁リレーの状態の変化とを、１の短絡等の発生に起因する状態の変化として扱う必要がある。このため、状態変化検出部１１において、状態の変化が受信された場合、状態変化検出部１１は、状態の変化を受信した時間から一定の時間（例えば、３秒間）か経過するまでの間に受信した状態の変化を１の状態変化として扱う。このように、状態変化検出部１１は、一定の時間か経過するまで状態の変化を受信することにより、関連する状態の変化を別々の事象に起因するものと誤認識したり、関連する状態の変化を取りこぼしたりすることを防ぐことができる。
【００４４】
ＨＭＩサーバ２０は、監視制御装置１０から状変情報を受信する（ステップＳ２０４）。ＨＭＩサーバ２０は、受信した状変情報に基づいて、状態の変化の種別、状態の変化が発生した領域等をカレント状態テーブル２３に記憶させ、カレント状態テーブル２３を更新する（ステップＳ２０５）。ＨＭＩサーバ２０は、受信した状変情報に基づいて、画像情報を決定する（ステップＳ２０６）。ここで、ＨＭＩサーバ２０によって決定される画像情報は、状変情報によって示される状態の変化が発生した領域を表示するための画像情報である。
【００４５】
ＨＭＩサーバ２０は、決定した画像情報をクライアント制御装置３０に送信する（ステップＳ２０７）。クライアント制御装置３０は、ＨＭＩサーバ２０から画像情報を受信する（ステップＳ２０８）。クライアント制御装置３０は、受信した画像情報を、操作装置４０および表示装置５０に送信する（ステップＳ２０９）。このようにすることで表示装置５０に状態の変化が発生した領域の系統図が表示され、監視員等がこの画像を視認することとなる。
【００４６】
表示装置５０に表示された状態の変化が発生した領域を、監視員等が認識した場合、監視員等は図示しない操作装置４０と異なる操作装置（以下、操作卓という。）又は操作装置４０を操作し、状態の変化が発生した領域の表示を確認した旨の応答情報を送信する。クライアント制御装置３０は、操作卓又は操作装置４０から応答情報を受信する（ステップＳ２１０）。クライアント制御装置３０は、受信した応答情報をＨＭＩサーバ２０に送信する（ステップＳ２１１）。
【００４７】
ＨＭＩサーバ２０は、クライアント制御装置３０から応答情報を受信する（ステップＳ２１２）。ＨＭＩサーバ２０は、受信した応答情報に基づいて、カレント状態テーブル２３を更新する（ステップＳ２１３）。
ＨＭＩサーバ２０は、受信した応答情報によって、状態の変化が発生した領域を確認した旨の応答が示されていれば、クライアント制御装置３０からの領域指定情報に基づいて決定される領域を表示させるための情報を、クライアント制御装置３０に送信する。
【００４８】
この場合において、ＨＭＩサーバ２０は、クライアント制御装置３０からの領域指定情報に基づいて決定される領域を表示させるための情報を送信する代わりに、領域画像Ｆ１のフリッカ表示を停止させ、状態の変化が発生していない他の領域と同様の表示に戻して表示させるための画像を、クライアント制御装置３０に送信してもよい。また、ＨＭＩサーバ２０は、領域画像Ｆ１の背景色が、状態の変化が発生していない他の領域の背景色と異なる色で表示させていた場合には、領域画像Ｆ１の背景色を状態の変化が発生していない他の領域の背景色と同じ色に戻して表示させるための情報を、クライアント制御装置３０に送信してもよい。
【００４９】
図９を用いて、表示装置５０において表示する状態の変化が発生した領域が複数ある場合の表示例について説明する。図９は、実施形態の表示装置５０において監視領域を表示した例を示す図である。図９（ａ）は、図７（ａ）と同様の図であるが、領域画像２００ｘと異なる領域画像２００ｙによって示される場所において、状態の変化が発生していることを示す状変マークＪ２が記されている。図９（ｂ）は、図７（ｃ）と同様の図である。図９（ｃ）は、図９（ｂ）に示す画像が、複数の場所において状態の変化が発生したことにより、状態の変化が発生した領域すべてを含む領域の系統図に切替えられて表示された場合の表示の一例を示す。ここで、状態の変化が発生した領域すべてを含む領域は「複数領域」の一例である。
図９（ａ）に示すように、領域画像２００ｘに示される場所において状態の変化が発生し、さらに領域画像２００ｙに示される場所においても状態の変化が発生した場合、ＨＭＩサーバ２０は、クライアント制御装置３０へ、領域画像２００ｘおよび領域画像２００ｙを含む領域画像２００ｘｙの系統図の画像情報を送信する。こうすることで、図９（ｂ）に示すように、表示装置５０が領域画像２００ｘを表示させ、領域画像Ｆ１をフリッカ表示させている最中であっても、領域画像２００ｙにおいて状態の変化が発生した場合、図９（ｃ）に示すように、表示装置５０の表示は自動的に領域画像２００ｘから領域画像２００ｘｙに切り替わる。
【００５０】
本実施形態の監視システム１は、領域画像２００ｘに示される場所に加えて、更に領域画像２００ｘに示される場所において状態の変化が発生した場合、表示装置５０の表示を、領域画像２００ｘおよび領域画像２００ｙを含む領域画像２００ｘｙに切り替えることで、監視領域に状態の変化が発生した場所すべてを、監視員等に知らせることができる。
【００５１】
図１０を用いて、表示装置５０において表示する状態の変化が発生した領域が、図９（ｃ）で示される表示領域よりもさらに広範囲である場合の表示例について説明する。図１０は、実施形態の表示装置５０において監視領域を表示した例を示す図である。図１０（ａ）は、図９（ａ）と同様の図であるが、領域画像２００ｘおよび２００ｙと異なる領域画像２００ｚによって示される場所において状態の変化が発生していることを示す状変マークＪ３が記されている。図１０（ｂ）は、図９（ｃ）と同様の図である。図１０（ｃ）は、図１０（ｂ）に示す画像が、さらに複数の場所において状態の変化が発生したことにより、状態の変化が発生した領域すべてを含む領域の系統総括図に切替えられて表示された場合の表示の一例を示す。
図１０（ａ）に示すように、領域画像２００ｘに示す場所において状態の変化が発生し、領域画像２００ｙに示す場所において状態の変化が発生し、さらに領域画像２００ｚに示す場所において状態の変化が発生した場合、ＨＭＩサーバ２０は、領域画像２００ｘと領域画像２００ｙと領域画像２００ｚとを含む領域画像２００ｘｙｚの画像情報を送信するための処理を行う。しかし、この場合、領域画像２００ｘｙｚに示す場所の領域が広範囲であることから、ＨＭＩサーバ２０は、領域画像２００ｘｙｚの系統図に代えて、領域画像２００ｘｙｚの系統総括図の画像情報をクライアント制御装置３０に送信する。こうすることで、図１０（ｂ）に示すように、表示装置５０が領域画像２００ｘｙの系統図を表示させ、領域画像Ｆ１およびＦ２をフリッカ表示させている最中に、さらに領域画像２００ｚにおいて状態の変化が発生した場合には、図１０（ｃ）に示すように、表示装置５０の表示は自動的に領域画像２００ｘｙの系統図から領域画像２００ｘｙｚの系統総括図に切り替わる。
このように、ＨＭＩサーバ２０は、領域画像２００ｘｙから領域画像２００ｘｙｚに切り替えて表示させようとする場合、領域画像２００ｘｙｚによって示される領域の系統図を表示装置５０に表示すると、系統図の表示が小さくなりすぎて、監視員が系統図に含まれる各系統の状態を把握することができない場合に、系統総括図を表示させる。系統総括図を表示させることにより、監視員が系統の状態を把握することができるようになる。
【００５２】
ここでは、図１１を用いて、図９および図１０で示した動作を説明する。図１１は、実施形態の監視システム１において状態の変化が発生した領域を表示する動作を示すシーケンス図である。
図１１に示すシーケンスチャートの、ステップＳ３０１からＳ３０９に示す処理は、図８に示すシーケンスチャートの、ステップＳ２０１からＳ２０９に示す処理と同様であるため、説明を省略する。
また、図１１に示すシーケンスチャートの、ステップＳ３１０からＳ３１２に示す処理は、図８に示すシーケンスチャートの、ステップＳ２０１からＳ２０３に示す処理と同様であるため、説明を省略する。
【００５３】
ＨＭＩサーバ２０は、監視制御装置１０から状変情報を受信する（ステップＳ３１３）。ＨＭＩサーバ２０は、受信した状変情報に基づいて、状態の変化の種別、状態の変化が発生した領域等をカレント状態テーブル２３に記憶させ、カレント状態テーブル２３を更新する（ステップＳ３１４）。ＨＭＩサーバ２０は、受信した状変情報に基づいて、画像情報を決定する（ステップＳ３１５）。ここで、ＨＭＩサーバ２０によって決定される画像情報は、状変情報によって示される状態の変化が発生した領域のすべてを表示するための画像情報である。
【００５４】
ＨＭＩサーバ２０は、画像情報を決定するために、例えば、更新したカレント状態テーブル２３を参照する。ＨＭＩサーバ２０は、カレント状態テーブル２３に、複数の状変情報が記憶されている場合、記憶されている複数の状変情報の各々について応答情報を参照する。ＨＭＩサーバ２０は、複数の状変情報のうち応答情報を受信していない状変情報に示される状態の変化が発生した領域のすべてを含む領域を判定する。そして判定した領域が、予め定めた所定の範囲以内であれば、判定した領域に対応する系統図の画像情報に決定し、予め定めた所定の範囲を超えるものであれば、判定した領域に対応する系統総括図の画像情報に決定する。
【００５５】
ＨＭＩサーバ２０は、決定した画像情報をクライアント制御装置３０に送信する（ステップＳ３１６）。クライアント制御装置３０は、ＨＭＩサーバ２０から画像情報を受信する（ステップＳ３１７）。クライアント制御装置３０は、受信した画像情報を、操作装置４０および表示装置５０に送信する（ステップＳ３１８）。
【００５６】
図１２を用いて、表示装置５０において表示する状態の変化が発生した領域が複数ある場合の図９とは異なる表示例について説明する。図１２は、実施形態の表示装置５０において監視領域を表示した例を示す図である。図１２（ａ）は、図９（ａ）と同様の図である。図１２（ｂ）は、図９（ｂ）と同様の図である。図１２（ｃ）は、図９（ｂ）と同様の図である。図１２（ｄ）は、図１２（ｃ）において表示装置５０が表示している画像と同様の画像を操作装置４０が表示している図であるが、画面の右下に矢印のアイコン画像２００ｃが示されている。ここでアイコン画像２００ｃは、「ショートカットアイコン」の一例である。
【００５７】
図１２（ａ）に示すように、領域画像２００ｘに示す場所において状態の変化が発生し、さらに領域画像２００ｙに示す場所において状態の変化が発生した場合、ＨＭＩサーバ２０は、領域画像２００ｘと領域画像２００ｙとを含む領域画像２００ｘｙの画像情報を送信するための処理を行う。しかし、ＨＭＩサーバ２０は、クライアント制御装置３０からロック要求を受信していた場合には、領域画像２００ｘｙの系統図の画像情報を送信しない。その代わりに、ＨＭＩサーバ２０は、領域画像２００ｘの系統図の画像情報と、アイコン画像２００ｃ(例えば、ショートカットを示すアイコン画像)の画像情報をクライアント制御装置３０に送信する。こうすることにより、図１２（ｂ）に示すように、表示装置５０が領域画像２００ｘを表示させ、領域画像Ｆ１をフリッカ表示させている際に、領域画像２００ｙにおいて状態の変化が発生した場合であっても、表示装置５０は、図１２（ｃ）に示すような、図１２（ｂ）と同じ領域を示す画像を表示する。すなわち、表示装置５０の表示は領域画像２００ｘのまま固定（ロック）される。そして、図１２（ｄ）に示すように、ロックされた画像（ここでは領域画像２００ｘ）と異なる領域（ここでは領域画像２００ｙ）において状態の変化が発生したことを示すアイコン画像２００ｃが、操作装置４０の表示画面の右下に表示される。
【００５８】
本実施形態の監視システム１においては、カレント状態テーブル２３の応答表示における表示ロックの項目において、表示のロックの有無を示す情報が記憶されている場合、複数の場所において状態の変化が発生した場合でも、最初に状態の変化が発生した場所のみが表示装置５０に表示され続ける。そして、複数の場所において状態の変化が発生したことを示す画像が、操作装置４０に表示される。
表示のロックの有無を示す情報は、予めカレント状態テーブル２３に書込まれて記憶されている。ＨＭＩサーバ２０は、表示のロックの有無を示す情報を、予め記憶された情報のまま変更しないものとしてもよい。又は、ＨＭＩサーバ２０は、クライアント制御装置３０から表示のロックを要求する旨の要求信号を受信した場合等に、カレント状態テーブル２３を更新させて、表示のロックの有無を示す情報を変更するようにしてもよい。
表示装置５０の表示画像を領域画像２００ｘｙに切り替えることなく、領域画像２００ｘを表示させることにより、監視員が状態の変化を把握する前に、勝手に表示画像が切り替わってしまうことを防ぐことができる。
【００５９】
また、この場合において、本実施形態の監視システム１は、領域画像２００ｘｙに切り替えることなく、領域画像２００ｘを表示させる代わりに、領域画像２００ｘｙへ切り替えて表示するためのショートカットを示すアイコン画像２００ｃを、例えば、操作装置４０の画面右下に表示する。
操作装置４０の表示画面等にアイコン画像２００ｃが表示されることにより、領域画像２００ｘが示す状態の変化が発生した場所の表示をロックした場合であっても、他の場所で状態の変化が発生したことを、監視員に知らせることができる。また、監視員は、表示をロックした場合であっても、操作装置４０においてアイコン画像２００ｃが表示されている画面を指でたたくタップ操作等をすることにより、容易に、状態の変化が発生した他の場所を表示させることができる。
【００６０】
図１２に示す例では、操作装置４０において、アイコン画像２００ｃがタップ操作等された場合に、表示装置５０に表示される画像は、領域画像２００ｘｙであっても領域画像２００ｙであってもよい。アイコン画像２００ｃがタップ操作等された場合に、表示装置５０に領域画像２００ｙを表示する場合、操作装置４０に、領域画像２００ｘの表示に戻るためのアイコン画像を表示させてもよい。
【００６１】
ここでは、図１３を用いて、図１１で示した動作を説明する。図１３は、実施形態の監視システム１において状態の変化が発生した領域を表示する動作を示すシーケンス図である。すでに説明したように、ＨＭＩサーバ２０は、表示のロックの有無を示す情報を、変更しないものとしてもよいが、ここでは、ＨＭＩサーバ２０は、クライアント制御装置３０から表示のロックを要求する旨の要求信号を受信した場合等に、カレント状態テーブル２３を更新させて、表示のロックの有無を示す情報を変更する場合について説明する。
図１３に示すシーケンスチャートの、ステップＳ４０１からＳ４０９に示す処理は、図８に示すシーケンスチャートの、ステップＳ２０１からＳ２０９に示す処理と同様であるため、説明を省略する。
【００６２】
クライアント制御装置３０は、操作装置４０からロック指定を受信する（ステップＳ４１０）。クライアント制御装置３０は、受信したロック指定を、ＨＭＩサーバ２０に送信する（ステップＳ４１１）。
ＨＭＩサーバ２０は、クライアント制御装置３０からロック指定を受信する（ステップＳ４１２）。ＨＭＩサーバ２０は、受信したロック指定に基づいて、ロック指定に示される状変情報に対応する表示ロックの項目に、表示ロックを指定する情報があった旨をカレント状態テーブル２３に記憶させ、カレント状態テーブル２３を更新する（ステップＳ４１３）。
【００６３】
図１３に示すシーケンスチャートの、ステップＳ４２０からＳ４２２に示す処理は、図８に示すシーケンスチャートの、ステップＳ２０１からＳ２０３に示す処理と同様であるため、説明を省略する。
【００６４】
ＨＭＩサーバ２０は、監視制御装置１０から状変情報を受信する（ステップＳ４２３）。ＨＭＩサーバ２０は、受信した状変情報に基づいて、状態の変化の種別、状態の変化が発生した領域等をカレント状態テーブル２３に記憶させ、カレント状態テーブル２３を更新する（ステップＳ４２４）。ＨＭＩサーバ２０は、受信した状変情報に基づいて、画像情報を決定する（ステップＳ４２５）。
【００６５】
ＨＭＩサーバ２０は、画像情報を決定するために、更新したカレント状態テーブル２３を参照する。ＨＭＩサーバ２０は、カレント状態テーブル２３に、複数の状変情報が記憶されている場合、記憶されている複数の状変情報の各々について応答情報を参照する。ＨＭＩサーバ２０は、複数の状変情報のうち応答情報として表示ロックを要求する指定があった状変情報がある場合、表示ロックの指定があった状変情報に示される状態の変化が発生した領域に対応する系統図の画像情報を選択する。そして選択した画像情報が示す画像に、操作装置４０に表示させるアイコンの画像を加えた画像情報に決定する。
【００６６】
ＨＭＩサーバ２０は、決定した画像情報をクライアント制御装置３０に送信する（ステップＳ４２６）。クライアント制御装置３０は、ＨＭＩサーバ２０から画像情報を受信する（ステップＳ４２７）。クライアント制御装置３０は、受信した画像情報を、操作装置４０および表示装置５０に送信する（ステップＳ４２８）。このとき、操作装置４０においては、領域画像２００ｘを示す画面の右下等にアイコン画像２００ｃ（図１２（ｄ））が追加された画像が表示される。また、表示装置５０においては、領域画像２００ｘ（図１２（ｃ））が表示される。
【００６７】
監視システム１において、表示ロックを要求する指定がＨＭＩサーバ２０により受信された場合、ステップＳ２１１に示す状態の変化が発生した領域の表示を確認した旨の応答情報がＨＭＩサーバ２０により受信された際に、表示のロックを解除するようにしてもよい。または、監視システム１において、状態の変化が発生した領域の表示のロックを解除する旨の指定情報を、ＨＭＩサーバ２０が受信した場合に、表示のロックを解除するようにしてもよい。
また、監視システム１において、アイコン画像２００ｃがクリック操作され、状態の変化が発生したすべての領域の表示をする旨の指定情報を、ＨＭＩサーバ２０が受信した場合に、表示のロックを解除するようにしてもよい。
【００６８】
ＨＭＩサーバ２０は、クライアント制御装置３０から受信した指定情報に、表示のロックを解除する旨の情報が示されている場合、カレント状態テーブル２３に、受信した指定情報が示す状態番号の指定情報に表示ロック解除の旨を記憶させ、カレント状態テーブル２３を更新する。
【００６９】
さらに、図１４を用いて、図１３のステップＳ４２８において、操作装置４０に、領域画像２００ｘを示す画面の右下等にアイコン画像２００ｃ（図１２（ｄ））が表示され、操作装置４０が操作され、アイコン画像２００ｃがクリック操作された場合の処理について説明する。図１４は、実施形態の監視システム１において表示ロックに基づく画像においてショートカットを示すアイコン画像２００ｃがクリックされた場合の動作を示すシーケンス図である。
【００７０】
まず、前提として、図１３におけるステップＳ４０１からＳ４２８までに示す処理が行われているものとする（ステップＳ４５０）。
クライアント制御装置３０は、操作装置４０からアイコン画像２００ｃがクリックされた旨の操作情報を受信する（ステップＳ４５１）。クライアント制御装置３０は、受信したアイコン画像２００ｃがクリックされた旨の操作情報に基づいて、複数の状態の変化が発生した領域の一部または全て表示する要求を示す指定情報を、ＨＭＩサーバ２０に送信する（ステップＳ４５２）。
ＨＭＩサーバ２０は、クライアント制御装置３０から状態の変化が発生した領域の一部または全てを表示する要求を示す指定情報を受信する（ステップＳ４５３）。ＨＭＩサーバ２０は、受信した指定情報に基づいて、ロック指定に示される状変情報に対応する表示ロックの項目に、表示ロックを解除する旨をカレント状態テーブル２３に記憶させ、カレント状態テーブル２３を更新する（ステップＳ４５４）。
【００７１】
ＨＭＩサーバ２０は、監視制御装置１０から受信した状変情報に基づいて、画像情報を決定する（ステップＳ４５５）。ここで決定される画像情報は、複数の状態の変化が発生した領域の一部を表示するための画像情報である。ＨＭＩサーバ２０は、決定した画像情報をクライアント制御装置３０に送信する（ステップＳ４５６）。
クライアント制御装置３０は、ＨＭＩサーバ２０から画像情報を受信する（ステップＳ４５７）。クライアント制御装置３０は、受信した画像情報を表示装置５０に送信し、表示装置５０に画像を表示させる（ステップＳ４５８）。
【００７２】
以上説明した第１の実施形態によれば、インフラ設備を監視する監視制御装置１０と、ＨＭＩサーバ２０と、表示装置５０と操作装置４０に接続されたクライアント制御装置３０とを持ち、監視制御装置１０がセンサ１２から入力される情報に基づいて得られるインフラ設備の状態をＨＭＩサーバ２０に送信し、ＨＭＩサーバ２０が監視制御装置１０から受信したインフラ設備の状態に基づいて元画像情報を生成し、クライアント制御装置３０が元画像情報によって生成可能な全体画像の一部の領域を指定する情報を操作装置４０から受信してＨＭＩサーバ２０に送信し、ＨＭＩサーバ２０から受信した情報に基づく画像を表示装置５０に表示させる。また、ＨＭＩサーバ２０がクライアント制御装置３０から受信した領域指定情報に基づいて決定される全体画像の一部の領域を表示するための情報をクライアント制御装置３０に出力することにより、監視対象における系統図の任意の領域を表示させることができ、監視対象範囲の変更に対して容易に対応することができる。
【００７３】
（第２の実施形態）
次に、第２の実施形態について説明する。
第１の実施形態では、図１に示すように、監視システム１は、監視制御装置１０とＨＭＩサーバ２０とクライアント制御装置３０とが各々１つずつ備えているが、第２の実施形態においては、監視システム１は、１つの監視制御装置１０と、１つのＨＭＩサーバ２０に対し、複数のクライアント制御装置３０を備える。
第２の実施形態の監視システム１は、複数のクライアント制御装置３０を備え、例えば、複数のクライアント制御装置３０の各々に、図３（ａ）の全体画像２００を分割した画像の各々を対応させて表示させることにより、全体画像２００を表示させることができる。
【００７４】
また、第２の実施形態の監視システム１は、単独モードと、共有モードとを備える。
単独モードにおいて、複数のクライアント制御装置３０の各々に接続された操作装置４０は、それぞれに対応する表示装置５０に表示させる画像を操作する。
共有モードにおいて、複数のクライアント制御装置３０の各々に接続された操作装置４０のうちの１の操作装置４０（以下、マスター操作装置４０という）が、複数のクライアント制御装置３０の各々に接続された表示装置５０すべてに表示させる画像を操作する。
【００７５】
第２の実施形態の監視システム１を共有モードにした場合、マスター操作装置４０の操作によって、複数のクライアント制御装置３０の各々に接続された表示装置５０すべてに同じ画面が表示される。表示装置５０すべてに同じ画面が表示されることにより、状態の変化が生じた領域における情報等を、複数の監視員等で共有することができる。
【００７６】
共有モードにおいては、例えば、クライアント制御装置３０は、マスター操作装置４０からの領域指定情報を、ＨＭＩサーバ２０に送信する。ＨＭＩサーバ２０は、受信した領域指定情報に基づいて決定した画像情報を、監視システム１に備えられたすべてのクライアント制御装置に送信することで実現する。
【００７７】
複数のクライアント制御装置３０を、さらに複数のグループに分け、グループ毎に情報を共有するサブ共有モードを設けてもよい。この場合、グループ毎のマスター操作装置４０からの領域指定情報を受信したクライアント制御装置３０は、受信した領域指定情報にグループの識別番号を付与して、ＨＭＩサーバ２０に送信する。ＨＭＩサーバ２０は、受信した領域指定情報に基づいて決定した画像情報を、受信したグループ識別番号に対応する複数のクライアント制御装置３０に送信する。
【００７８】
以上説明した第２の実施形態によれば、インフラ設備を監視する監視制御装置１０と、ＨＭＩサーバ２０と、複数のクライアント制御装置３０とを持ち、第１の実施形態と同様の効果を奏する他、複数のクライアント制御装置３０の各々に接続された表示装置５０対して監視対象における系統図の任意の領域を示す同じ領域画像を表示させることができ、複数のクライアント制御装置３０の各々を監視する複数の監視員等に対して情報の共有を図ることができる。
【００７９】
以上説明した少なくともひとつの実施形態によれば、インフラ設備を監視する監視制御装置１０であって、センサ１２から入力される情報に基づいて得られるインフラ設備の状態をＨＭＩサーバ２０に送信する監視制御装置１０と、監視制御装置１０から受信したインフラ設備の状態に基づいて元画像情報を生成するＨＭＩサーバ２０と、表示装置５０と操作装置４０に接続され、元画像情報によって生成可能な全体画像の一部の領域を指定する情報を操作装置４０から受信してＨＭＩサーバ２０に送信し、ＨＭＩサーバ２０から受信した情報に基づく画像を表示装置５０に表示させるクライアント制御装置３０と、を持ち、ＨＭＩサーバ２０は、クライアント制御装置３０から受信した領域指定情報に基づいて決定される、全体画像の一部の領域を表示するための情報をクライアント制御装置３０に出力することにより、監視対象範囲の変更に対して容易に対応することができる。
【００８０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８１】
１…監視システム、１０…監視制御装置、１１…状態変化検出部、１２…センサ、２０…ＨＭＩサーバ、２１…領域画像送信部、２２…記憶部、２３…カレント状態テーブル、３０…クライアント制御装置、３１…リクエスト送信部、３２…設定受付部、４０…操作装置、５０…表示装置
【図１】
2018181598.tif 000003
【図２】
2018181598.tif 000004
【図３】
2018181598.tif 000005
【図４】
2018181598.tif 000006
【図５】
2018181598.tif 000007
【図６】
2018181598.tif 000008
【図７】
2018181598.tif 000009
【図８】
2018181598.tif 000010
【図９】
2018181598.tif 000011
【図１０】
2018181598.tif 000012
【図１１】
2018181598.tif 000013
【図１２】
2018181598.tif 000014
【図１３】
2018181598.tif 000015
【図１４】
2018181598.tif 000016
【手続補正書】
【提出日】平成31年1月25日(2019.1.25)
【手続補正１】
【補正対象書類名】特許請求の範囲
【補正対象項目名】全文
【補正方法】変更
【補正の内容】
【特許請求の範囲】
【請求項１】
インフラ設備を監視する監視制御装置であって、センサから入力される情報に基づいて得られる前記インフラ設備の状態を画像情報提供装置に送信する監視制御装置と、
前記監視制御装置から受信した前記インフラ設備の状態に基づいて監視する対象となる領域全体の画像である元画像情報を生成する前記画像情報提供装置と、
表示装置とタッチパネルを有する操作装置とに接続され、前記元画像情報によって生成可能な全体画像の一部の領域を、前記操作装置が有するタッチパネルに表示された画像に操作がなされることにより指定する領域指定情報を前記操作装置から受信して前記画像情報提供装置に送信し、前記画像情報提供装置から受信した情報に基づく画像を前記表示装置に表示させるクライアント制御装置と、を備え、
前記画像情報提供装置は、前記クライアント制御装置から受信した前記領域指定情報に基づいて決定される、前記全体画像の一部の領域を表示するための画像情報を前記クライアント制御装置に送信する、
監視システム。
【請求項２】
前記クライアント制御装置は、前記操作装置から受信される、前記領域指定情報を前記画像情報提供装置に送信し、
前記画像情報提供装置は、前記クライアント制御装置から受信した前記領域指定情報に基づいて決定される領域が、予め定めた所定の範囲以内である場合、前記元画像情報に基づく画像を表示するための画像情報を前記クライアント制御装置に送信し、前記領域指定情報に基づいて決定される領域が、予め定めた所定の範囲を超える場合、前記元画像情報と比較して、単位領域あたりに表示する構成要素が少ない表示態様であるマクロ視点で生成した画像を表示するための画像情報を前記クライアント制御装置に送信する、
請求項１に記載の監視システム。
【請求項３】
前記クライアント制御装置は、前記操作装置からスクロール操作されたことを示す操作情報を受信し、受信した前記操作情報に基づく前記領域指定情報を前記画像情報提供装置に送信し、
前記画像情報提供装置は、前記クライアント制御装置から受信した前記領域指定情報に基づいて元画像情報の全部又は一部の領域に対応する画像を表示するための画像情報を前記クライアント制御装置に送信する、
請求項１に記載の監視システム。
【請求項４】
前記画像情報提供装置は、前記監視制御装置から受信した前記インフラ設備の状態に基づいて、状態の変化が発生した領域が複数あると判明した場合、前記クライアント制御装置から前記状態の変化が発生した複数の領域のうち１の領域の表示を固定する旨の指定情報を受信した場合においては、前記状態の変化が発生した複数の領域のうち１の領域を表示するための画像情報と、前記状態の変化が発生した複数の領域のうち他の領域を表示させるためのショートカットアイコンを表示するための情報とを前記クライアント制御装置に送信する、
請求項１に記載の監視システム。
【請求項５】
前記クライアント制御装置は、前記ショートカットアイコンをタップ操作した旨の操作情報を前記操作装置から受信した場合、前記状態の変化が発生した複数領域の一部または全てを含む領域を表示するための情報の送信を指定する旨の指定情報を前記画像情報提供装置に送信する、
請求項４に記載の監視システム。
【請求項６】
インフラ設備を監視する監視制御装置であって、センサから入力される情報に基づいて得られる前記インフラ設備の状態を画像情報提供装置に送信する監視制御装置と、
前記監視制御装置から受信した前記インフラ設備の状態に基づいて監視する対象となる領域全体の画像である元画像情報を生成する前記画像情報提供装置と、
表示装置と操作装置とに接続され、前記元画像情報によって生成可能な全体画像の一部の領域を指定する領域指定情報を前記操作装置から受信して前記画像情報提供装置に送信し、前記画像情報提供装置から受信した情報に基づく画像を前記表示装置に表示させるクライアント制御装置と、を備え、
前記クライアント制御装置は、前記操作装置から受信される前記領域指定情報を前記画像情報提供装置に送信し、
前記画像情報提供装置は、前記クライアント制御装置から受信した前記領域指定情報に基づいて決定される領域が、予め定めた所定の範囲以内である場合、前記元画像情報に基づく画像を表示し、前記領域指定情報に基づいて決定される領域が、予め定めた所定の範囲を超える場合、前記元画像情報と比較して、単位領域あたりに表示する構成要素が少ない表示態様であるマクロ視点で生成した画像を表示するための画像情報を前記クライアント制御装置に送信する、
監視システム。
【請求項７】
インフラ設備を監視する監視制御装置であって、センサから入力される情報に基づいて得られる前記インフラ設備の状態を画像情報提供装置に送信する監視制御装置と、
前記監視制御装置から受信した前記インフラ設備の状態に基づいて監視する対象となる領域全体の画像である元画像情報を生成する前記画像情報提供装置と、
表示装置と操作装置とに接続され、前記元画像情報によって生成可能な全体画像の一部の領域を指定する領域指定情報を前記操作装置から受信して前記画像情報提供装置に送信し、前記画像情報提供装置から受信した情報に基づく画像を前記表示装置に表示させるクライアント制御装置と、を備え、
前記クライアント制御装置は、前記操作装置からスクロール操作されたことを示す操作情報を受信し、受信した前記操作情報に基づく前記領域指定情報を前記画像情報提供装置に送信し、
前記画像情報提供装置は、前記クライアント制御装置から受信した前記領域指定情報に基づいて元画像情報の全部又は一部の領域に対応する画像を表示するための画像情報を前記クライアント制御装置に送信する、
監視システム。
【請求項８】
インフラ設備を監視する監視制御装置であって、センサから入力される情報に基づいて得られる前記インフラ設備の状態を画像情報提供装置に送信する監視制御装置と、
前記監視制御装置から受信した前記インフラ設備の状態に基づいて監視する対象となる領域全体の画像である元画像情報を生成する前記画像情報提供装置と、
表示装置と操作装置とに接続され、前記元画像情報によって生成可能な全体画像の一部の領域を指定する領域指定情報を前記操作装置から受信して前記画像情報提供装置に送信し、前記画像情報提供装置から受信した情報に基づく画像を前記表示装置に表示させるクライアント制御装置と、を備え、
前記画像情報提供装置は、前記監視制御装置から受信した前記インフラ設備の状態に基づいて、状態の変化が発生した領域が複数あると判明した場合、前記クライアント制御装置から前記状態の変化が発生した複数の領域のうち１の領域の表示を固定する旨の指定情報を受信した場合においては、前記状態の変化が発生した複数の領域のうち１の領域を表示するための画像情報と、前記状態の変化が発生した複数の領域のうち他の領域を表示させるためのショートカットアイコンを表示するための情報とを前記クライアント制御装置に送信する、
監視システム。
【請求項９】
（削除）
【請求項１０】
（削除）
【請求項１１】
インフラ設備の状態に基づいて監視する対象となる領域全体の画像である元画像情報を生成し、
前記元画像情報によって生成可能な全体画像の一部の領域を指定する領域指定情報に基づいて決定される前記全体画像の一部の領域を表
示するための画像情報をクライアント制御装置に送信し、
前記インフラ設備の状態に基づいて、状態の変化が発生した領域が複数あると判明した場合、前記クライアント制御装置から前記状態の変化が発生した複数の領域のうち１の領域の表示を固定する旨の指定情報を受信した場合においては、前記状態の変化が発生した複数の領域のうち１の領域を表示するための画像情報と、前記状態の変化が発生した複数の領域のうち他の領域を表示させるためのショートカットアイコンを表示するための情報とを前記クライアント制御装置に送信する、
画像情報提供装置。
【請求項１２】
表示装置とタッチパネルを有する操作装置に接続され、
インフラ設備の状態に基づいて生成される監視する対象となる領域全体の画像である元画像情報によって生成可能な全体画像の一部の領域を、前記操作装置が有するタッチパネルに表示された画像に操作がなされることにより指定する領域指定情報を前記操作装置から受信するとともに、受信した前記領域指定情報を画像情報提供装置に送信し、
前記領域指定情報に基づいて決定される、前記全体画像の一部の領域を表示するための情報を受信する、
クライアント制御装置。
【請求項１３】
画像情報提供装置に、
インフラ設備の状態に基づいて監視する対象となる領域全体の画像である元画像情報を生成させ、
前記元画像情報によって生成可能な全体画像の一部の領域を指定する領域指定情報に基づいて決定される、前記全体画像の一部の領域を表示するための画像情報をクライアント制御装置に送信させ、
前記インフラ設備の状態に基づいて、状態の変化が発生した領域が複数あると判明した場合、前記クライアント制御装置から前記状態の変化が発生した複数の領域のうち１の領域の表示を固定する旨の指定情報を受信した場合においては、前記状態の変化が発生した複数の領域のうち１の領域を表示するための画像情報と、前記状態の変化が発生した複数の領域のうち他の領域を表示させるためのショートカットアイコンを表示するための情報とを前記クライアント制御装置に送信させる、
画像情報提供プログラム。
【請求項１４】
表示装置とタッチパネルを有する操作装置に接続されたクライアント制御装置に、
インフラ設備の状態に基づいて生成される監視する対象となる領域全体の画像である元画像情報によって生成可能な全体画像の一部の領域を、前記操作装置が有するタッチパネルに表示された画像に操作がなされることにより指定する領域指定情報を前記操作装置から受信させるとともに、受信した前記領域指定情報を画像情報提供装置に送信させ、
前記領域指定情報に基づいて決定される、前記全体画像の一部の領域を表示するための情報を前記画像情報提供装置から受信させる、
クライアント制御プログラム。
【国際調査報告】
2018181598.tif 000017
2018181598.tif 000018
2018181598.tif 000019
2018181598.tif 000020